(57)【要約】    【課題】表示灯による正面及び側面の視認性を確保しつつ、操作性及び意匠性を向上させる。    【解決手段】防災装置である防災機器収納箱１０の前面には音響孔１６と発信機１２が設けられ、音響孔１６と発信機１２の間に位置表示灯１４が設けられる。位置表示灯１４の表示枠２８ａは防災機器収容箱１０の収容ケース前面及び側面に表示面を有し、防災機器収容箱１０の前方及び側方からの視認性を確保する。位置表示灯１４の表示枠２８ａは拡散透光部材であり、表示枠２８ａの背後に設けたＬＥＤからの光により拡散透光部材を照明する。【選択図】図１
2020123303.tif 000002
【特許請求の範囲】
【請求項１】
（第１発明）
収容ケースの前面及び側面に表示面を有する表示灯を設けたことを特徴とする防災装置。
【請求項２】
請求項１記載の防災装置に於いて、前記収容ケースの前面に配置された音響孔と発信機の間、音響孔を両側から挟む位置、前記発信機を両側から挟む位置、前記音響孔と発信機を両側から挟む位置、若しくは、前記音響孔及び／又は前記発信機を囲む位置に、前記表示灯を設けたことを特徴とする防災装置。
【請求項３】
請求項２記載の防災装置に於いて、前記表示灯の表示面に前記発信機の位置を指し示す部位を形成したことを特徴とする防災装置。
【請求項４】
請求項１記載の防災装置に於いて、
前記表示灯の前面は、前記収容ケースの前面に略面一に設けられたことを特徴とする防災装置。
【請求項５】
請求項１記載の防災装置に於いて、
前記表示灯の側面は、前記収容ケースの側面に略面一に設けられたことを特徴とする防災装置。
【請求項６】
請求項４又は５記載の防災装置に於いて、
発信機前面頂部と前記収容ケース前面とを略面一としたことを特徴とする防災装置。
【請求項７】
収容ケースの前面に発信機と表示灯が集約して設けられると共に前記表示灯は前記収容ケースの前面及び側面に表示面を有することを特徴とする防災装置。
【請求項８】
収容ケースの前面に少なくとも発信機と表示灯が設けられた防災装置に於いて、
前記発信機は前記収納ケースの前面に対し取付ける向きを可変自在に設けられたことを特徴とする防災装置。
【発明の詳細な説明】
【技術分野】
【０００１】
本発明は、位置表示灯及び音響孔を備え、又は、更に発信機を備え、火災時などに操作して異常発生を知らせる防災機器収容箱、消火栓装置等の防災装置に関する。
【背景技術】
【０００２】
従来、防災機器収容箱には、発信機と表示灯（この場合、位置表示灯）が設けられ、更に、内蔵したベルやブザーに対応して音響孔が設けられている。
【０００３】
位置表示灯は赤色表示灯を使用し、常時点灯して防災機器収容箱の位置を示して、非常の際に周囲の人に発信機の場所を認識させる。発信機は、発信機カバーに配置された保護板を押し込むことにより押釦スイッチをオン操作し、受信機へ火災通報信号を送信して警報させる。受信機は発信機からの火災通報信号を受信して火災警報を出力した場合、火災通報信号を送信した防災機器収容箱に地区音響信号を送出し、これにより防災機器収容箱のベルやブザーを鳴動して火災警報音を出力させる。
【０００４】
ところで、従来の防災機器収容箱に設けられた位置表示灯は、側方からの視認性を向上するために、パネル面から前方に表示カバーが数センチ程度突出した赤色表示灯を設けているが、近年にあっては、複数のＬＥＤを分布配置した平坦な発光部材を用いたフラット型の位置表示灯が普及している。またフラット型の位置表示灯を、発信機を囲むように配置し、側方からの視認性を確保しつつ、前方への突出を抑えて物が当たらないようにして破損を防止し、更に、意匠性を高めるようにしている。
【０００５】
また、このように発信機、位置表示灯、音響孔を備える防災装置として、消火栓装置も知られている。
【先行技術文献】
【特許文献】
【０００６】
【特許文献１】特開平９−１０２０８５号公報
【特許文献２】意匠登録第１００５２８９号公報
【特許文献３】特開２０１８−０２２５４０号公報
【特許文献４】意匠登録第１４９３２７９号公報
【特許文献５】意匠登録第１４９３２８０号公報
【特許文献６】特開２０１６−０５９６４７号公報
【発明の概要】
【発明が解決しようとする課題】
【０００７】
しかしながら、このような従来の位置表示灯をフラット型とした防災装置にあっては、側方からの視認性が十分でない場合があった。或いは、側方からの視認性を確保するために、表示灯の突出量を抑えること、薄型化することに限界があった。また、このため、位置表示灯や防災装置の意匠性を高めるための自由度が低いという問題があった。
【０００８】
本発明は、表示灯による前面及び側面の視認性を確保しつつ、表示灯突出量を抑えることを可能とし、意匠性を向上させ、さらに取扱性を向上させることを可能とする防災装置を提供することを目的とする。
【課題を解決するための手段】
【０００９】
（第１発明：防災装置）
本発明は防災装置であって、収容ケースの前面及び側面に表示面を有する表示灯を設けたことを特徴とする。
【００１０】
（表示面の配置）
また、表示灯の表示面は、収容ケースの前面に配置された音響孔と発信機の間、音響孔を両側から挟む位置、発信機を両側から挟む位置、音響孔と発信機を両側から挟む位置、若しくは、音響孔及び／又は発信機を囲む位置に配置する。
【００１１】
（表示面の形状）
また、表示灯の表示面に発信機の位置を指し示す部位を形成する。
【００１２】
（表示灯の構造）
表示灯の前面は、収容ケースの前面と略面一とする。また、表示灯の側面は、収容ケースの側面と略面一とする。
【００１３】
（発信機の配置）
発信機前面頂部と収容ケース前面とを略面一とする。
【００１４】
（第２発明：音響装置を設けない防災装置）
本発明の他の形態は、防災装置であって、収容ケースの前面に発信機と表示灯が集約して設けられると共に表示灯は収容ケースの前面及び側面に表示面を有する。
【００１５】
（第３発明：発信機の取付向き可変構造）
本発明の他の形態は、収容ケースの前面に少なくとも発信機と表示灯が設けられた防災装置に於いて、発信機は収納ケースの前面に対し取付ける向きを可変自在に設けられる。
【発明の効果】
【００１６】
（第１発明の基本的な効果）
本発明は、収容ケースの前面及び側面に表示面を有する表示灯を設けることを特徴とする防災装置であり、収納ケース前面の表示灯の表示面により前方からの高い視認性が確保され、同時に、収納ケース側面の表示灯の表示面により側方からの高い視認性が確保され、表示灯全体としての視認性を向上させることができる。また、表示灯の表示面が収納ケースの前面から側面にかけて立体的に配置されることで、新たな意匠性が得られ、意匠性を高めることができる。
【００１７】
（表示面の配置による効果）
また、表示灯の表示面は、収容ケースの前面に配置された音響孔と発信機の間、音響孔を両側から挟む位置、発信機を両側から挟む位置、音響孔と発信機を両側から挟む位置、若しくは、音響孔及び／又は発信機を囲む位置に配置するようにしたため、収納ケース前面に配置された音響孔と発信機の空きスペースを利用して様々な表示面の形状と配置を行うことができ、前方及び側方からの表示灯の視認性の確保に加え、表示面の配置や形状の自由度が高く、意匠性を高めることができる。
【００１８】
（表示面の形状による効果）
また、表示灯の表示面に発信機の位置を指し示す部位を形成するようにしたため、操作部として機能する発信機の位置が、表示灯の表示面により形成された発信機の位置を指し示す部位、例えば矢印等により示され、利用者が操作する際に迷うことがなく、発信機の操作性を向上できる。
【００１９】
（表示灯の構造による効果）
また、表示灯の前面は、収容ケースの前面と略面一とし、また、表示灯の側面は、収容ケースの側面と略面一としたため、表示灯の表示面は収納ケースの前面及び側面に沿った略平坦となることで、収容ケース面からの表示灯の突出を抑えることができ、また前方及び側方からの視認性を向上させる様々な表示パターンを容易に形成することができる。
【００２０】
（発信機の配置）
また、発信機前面頂部と収容ケース前面とを略面一としたため。発信機の前面頂部は収納ケースの前面に沿った略平坦となることで、収容ケース面からの発信機の突出を抑えることができ、意匠性の向上等が見込める。
【００２１】
（第２発明：音響装置を設けない防災装置の効果）
また、本発明の他の形態は、防災装置であって、収容ケースの前面に発信機と表示灯が集約して設けられると共に表示灯は収容ケースの前面及び側面に表示面を有するようにしたため、音響装置をもたないことで音響孔を設ける必要のない防災装置であっても、収納ケース前面の表示灯の表示面により前方からの高い視認性が確保され、同時に、収納ケース側面の表示灯の表示面により側方からの高い視認性が確保され、表示灯全体としての視認性を向上させることができる。また、表示灯の表示面が収容ケースの前面から側面にかけて配置されることで、新たな意匠性が得られ、意匠性を高めることができる。
【００２２】
（第３発明：発信機の取付向き可変構造の効果）
また、本発明の他の形態は、収容ケースの前面に少なくとも発信機と表示灯が設けられた防災装置に於いて、発信機は収容ケースの前面に対し取付ける向きを可変自在に設けられたため、壁面などに対する防災装置の設置場所により、例えば発信機と表示灯の並び方向を設置場所の上下方向（垂直方向）として収容ケースを取り付ける場合と、発信機と表示灯の並び方向を設置場所の左右方向（水平方向）として９０°向きを変えて収容ケースを取り付ける場合があり、このような防災装置を設置する向きに合わせて発信機の向きを９０°可変することで、発信機の向きが異なる防災装置を別々に製造する必要がなくなり、生産効率を向上してコストを低減可能とする。
【図面の簡単な説明】
【００２３】
【図１】本発明の防災装置の例として収容ケースのパネル前面から側面に表示面を有する位置表示灯を配置した防災機器収容箱の第１実施形態を示した説明図
【図２】防災機器収容箱の分解構造を示した説明図
【図３】図１のＸ−Ｘ断面により位置表示灯の内部構造を示した断面図
【図４】図１の位置表示灯をパネル面に埋込設置した防災機器収容箱を示した説明図
【図５】位置表示灯の表示枠を左右に分離配置した防災機器収容箱の第２実施形態を示した説明図
【図６】音響孔を左右から挟んで両側に位置表示灯の表示枠を分離配置した防災機器収容箱の第２実施形態を示した説明図
【図７】音響孔の周囲を囲んで位置表示灯の表示枠を配置した防災機器収容箱の第３実施形態を示した説明図
【図８】発信機を左右から挟んで両側に位置表示灯の表示枠を分離配置した防災機器収容箱の第４実施形態を示した説明図
【図９】発信機の周囲を囲んで位置表示灯の表示枠を配置した防災機器収容箱の第５実施形態を示した説明図
【図１０】音響孔と発信機を左右から挟んで両側に位置表示灯の表示枠を分離配置した防災機器収容箱の第６実施形態を示した説明図
【図１１】集約配置された音響孔と発信機を左右から挟んで両側に位置表示灯の表示枠を分離配置した防災機器収容箱の第７実施形態を示した説明図
【図１２】発信機を左右から挟んで両側に発信機指示部位を有する位置表示灯の表示枠を分離配置した防災機器収容箱の第８実施形態を示した説明図
【図１３】音響孔と発信機の間に発信機指示部位を有する位置表示灯の表示枠を配置した防災機器収容箱の第９実施形態を示した説明図
【図１４】音響孔と発信機を左右から挟んで両側に発信機指示部位を有する位置表示灯の表示枠を分離配置した防災機器収容箱の第１０実施形態を示した説明図
【図１５】音響孔の周囲を囲んで発信機指示部位を有する位置表示灯の表示枠を配置した防災機器収容箱の第１１実施形態を示した説明図
【図１６】は発信機と音響孔の間に位置表示灯の表示枠を前面と側面に分離して配置した防災機器収容箱の第１３実施形態を示した説明図
【図１７】音響孔と発信機を上下から挟んで上下に位置表示灯の表示枠を分離配置した防災機器収容箱の第１４実施形態を示した説明図。
【図１８】位置表示灯の表示枠を対角位置に分離配置した防災機器収容箱の第１５実施形態を示した説明図
【図１９】位置表示灯をユニット化して収容ユニットに組み付ける構造とした防災機器収容箱の第１６実施形態を示した説明図
【図２０】パネル正面から側面に表示面を有する位置表示灯を配置した消火栓装置の実施形態を示した説明図
【図２１】消火栓装置に設ける位置表示灯の他の実施形態を示した説明図
【図２２】音響装置を設けない防災機器収容箱の、発信機及び位置表示灯を一ヶ所に集約配置すると共に表示灯の表示枠を収容ケースの前面、左右側面、上面及び下面に表示面を有するように配置した実施形態を示した説明図
【図２３】図２２の表示枠を分割して配置した実施形態を示した説明図
【図２４】設置の向きに応じて発信機の向きを可変可能な防災機器収容箱の実施形態を示した説明図
【図２５】発信機の向きを変える可変構造を防災機器収納箱の組立分解状態で示した説明図
【図２６】図２４に対し設置の向きを９０°異ならせて設置した防災機器収容箱を示した説明図
【発明を実施するための形態】
【００２４】
本発明の防災装置の実施形態として、所定の表示報知情報として装置の所在位置を表示する表示灯、また所定の発音報知情報として火災警報音を出力するための音響孔、スイッチ操作により火災通報信号を出力する発信機を備えた防災機器収容箱を例にとって説明する。
【００２５】
図１は本発明の防災装置の例として収容ケースのパネル前面から側面に表示面を有する位置表示灯を配置した防災機器収容箱の第１実施形態を示した説明図である。なお、防災機器収容箱は、単に、機器収容箱という場合がある。
【００２６】
［実施形態の基本概念］
本実施形態の基本概念は、防災機器収容箱１０であって、カバープレート１０ａ（パネル）と本体１０ｂで構成される収容ケースの前面１３ａ及び側面１３ｂに表示面１５を有する表示枠２８ａを持つ位置表示灯１４を設けることを特徴とするものであり、図１（Ａ）に示すように、防災機器収容箱１０に設けた位置表示灯１４の前面１３ａの表示面１５により前方からの高い視認性が確保され、同時に、図１（Ｂ）に示すように、防災機器収容箱１０に設けた位置表示灯１４の側面１３ｂの表示面１５により側方からの高い視認性が確保され、表示灯全体としての視認性を向上させることができる。また、位置表示灯１４の表示面１５が防災機器収容箱１０の前面から側面にかけて配置されることで、新たな意匠性が得られ、意匠性を高めることができる。
【００２７】
［防災機器収容箱の第１実施形態：第１発明］
（防災機器収容箱の概要）
図１（Ａ）（Ｂ）に示すように、第１実施形態の防災機器収容箱１０はカバープレート１０ａと本体１０ｂで構成され、壁面等に設置した場合に露出されるカバープレート１０ａの露出面（前面１３ａ）の下側に発信機１２が配置され、その上側に音響孔１６が配置されている。各音響孔１６の開口形状、大きさ、数、配列は音の出力性能、拡散性能、意匠性等を考慮して適宜選択、調整されている。
【００２８】
発信機１２は、その中央に、内蔵した押釦スイッチ２０をオン操作するため透明アクリル板等を用いた保護板１８と、内部に電話ジャックを配置した保守扉２２を設けている。
【００２９】
位置表示灯１４は、カバープレート１０ａの発信機１２と音響孔１６の間となる前面１３ａから側面１３ｂに至る表示枠２８ａを有し、これにより位置表示灯１４は防災機器収容箱１０の収容ケースの前面１３ａと側面１３ｂに表示面１５を有することになる。
【００３０】
（位置表示灯の構造）
図２に示すように、防災機器収納箱１０は、カバープレート１０ａと箱形の本体１０ｂで構成され、カバープレート１０ａに取付けられた位置表示灯１４の背後となる本体１０ｂ内の相対した位置にはブザーやベル等の音響装置２４が配置され、別に設置された火災受信機からの地区音響信号により音響装置２４が鳴動されると、その火災警報音を図１（Ａ）に示した音響孔１６から出力するようにしている。カバープレート１０ａの前面に配置された発信機１２は、発信機１２の前面頂部１２ａがカバープレート１０ａの前面から僅かに突出している。
【００３１】
図３は図１（Ａ）のＸ−Ｘ断面により位置表示灯の内部構造を示した断面図である。図３に示すように、位置表示灯１４は、防災機器収容箱１０の前面から両側面に至る平面から見ると（防災機器収容箱１０の上側から見ると）断面略コ字形をもつ後方に開口した表示枠２８ａをカバープレート１０ａに配置している。
【００３２】
表示枠２８ａの裏側に位置するカバープレート１０ａには複数の透光孔３４が形成され、カバープレート１０ａ内に配置された回路基板３０には透光孔３４に対応してＬＥＤ３２が配置されている。
【００３３】
表示枠２８ａには赤色に発光する拡散透光部材を使用している。拡散透光部材はＬＥＤ３２による光源からの光を入射して拡散し、面発光に変換する部材であり、回路基板３０に配置したＬＥＤ３２からの背光照明による光を拡散透光部材を用いた表示枠２８ａに入射して位置表示灯１４の前面及び側面を略均一に赤色に面発光させる。
【００３４】
なお、位置表示灯１４のカバープレート１０ａに対する取付構造は、図３に限定されず、適宜の取付構造とすることができる。
【００３５】
このように第１実施形態にあっては、位置表示灯１４に設けた表示枠２８ａの前面の表示面により前方からの高い視認性が確保され、同時に、表示枠２８ａの側面の表示面により側方からの高い視認性が確保され、表示灯全体としての視認性を向上させることができる。このため、表示枠２８ａの肉厚を、従来より薄くできる。
【００３６】
また、位置表示灯１４の表示枠２８ａによる表示面が防災機器収容箱１０の前面から側面にかけて配置されることで、新たな意匠性が得られ、意匠性を高めることができる。
【００３７】
（位置表示灯の埋込構造）
図４は図１の位置表示灯をパネル面に埋込設置した防災機器収容箱を示した説明図である。
【００３８】
図４に示すように、本実施形態は図１に示した第１実施形態の変形例であり、位置表示灯１４の表示枠２８ａをカバープレート１０ａの前面から本体１０ｂの側面に対し埋込み設置したことを特徴とし、それ以外の構成及び構造は図１の実施形態と同じになる。このように位置表示灯１４を防災機器収納箱１０の前面から側面にかけて埋込み設置したことで、位置表示灯１４の表示面が装置前面及び側面と面一となり、収容ケース前面（及び側面）からの位置表示灯１４の表示枠２８ａの突出量をほぼゼロとすることができ、意匠性も更に高めることができる。
【００３９】
［防災機器収容箱の第２実施形態］
図５は位置表示灯の表示枠を左右に分離配置した防災機器収容箱の第２実施形態を示した説明図である。
【００４０】
図５に示すように、本実施形態は、発信機１２と音響孔１６との間に、位置表示灯１４を左右の表示枠２８ｂに分離して配置しており、一対の表示枠２８ｂはカバープレート１０ａの前面から側面に至るＬ字形状であり、それぞれ前面から側面に至る表示面を有する。それ以外の構成は図１の実施形態と同じになる。なお、位置表示灯１４の背後には図１（Ａ）に点線で示すと同様にＬＥＤ３２が配置されるが、以下の実施形態では図示を省略している。
【００４１】
このように第２実施形態にあっては、位置表示灯１４の左右に分離して発信機１２３と音響孔１６の間に配置した表示枠２８ｂの前面の表示面により前方からの高い視認性が確保され、同時に、表示枠２８ｂの側面の表示面により側方からの高い視認性が確保され、表示灯全体としての視認性を向上させることができる。このため、表示枠２８ｂの肉厚を、従来より薄くできる。
【００４２】
また、防災機器収容箱１０の発信機１２と音響孔１６の間に、位置表示灯１４の表示枠２８ｂが左右に分離配置されることで、新たな意匠性が得られ、意匠性を高めることができる。なお、左右に分離配置した表示枠２８ｂは埋込み構造としても良い。
【００４３】
［防災機器収容箱の第３実施形態］
図６は音響孔を左右から挟んで両側に位置表示灯の表示枠を分離配置した防災機器収容箱の第３実施形態を示した説明図である。
【００４４】
図６に示すように、本実施形態は、音響孔１６の配置部（配置領域）を挟んで両側に、位置表示灯１４の表示枠２８ｃを左右に分離して配置しており、一対の表示枠１８ｃはカバープレート１０ａの前面から側面に至るＬ字形状であり、それぞれ前面から側面に至る表示面を有する。それ以外の構成は図１の実施形態と同じになる。
【００４５】
このように第３実施形態にあっては、位置表示灯１４の左右に分離して音響孔１６の両側に配置した表示枠２８ｂの前面の表示面により前方からの高い視認性が確保され、同時に、表示枠２８ｂの側面の表示面により側方からの高い視認性が確保され、表示灯全体としての視認性を向上させることができる。このため、表示枠２８ｂの肉厚を、従来より薄くできる。
【００４６】
また、防災機器収容箱１０の音響孔１６の両側に、位置表示灯１４の表示枠２８ｂが分離配置されることで、新たな意匠性が得られ、意匠性を高めることができる。なお、左右に分離配置した表示枠２８ｃは埋込み構造としても良い。
【００４７】
［防災機器収容箱の第４実施形態］
図７は音響孔の周囲を囲んで位置表示灯の表示枠を配置した防災機器収容箱の第４実施形態を示した説明図である。
【００４８】
図７に示すように、本実施形態は、音響孔１６が配置された外周円形の音響孔配置部を囲んで位置表示灯１４の表示枠２８ｄを配置しており、このため表示枠２８ｄには開口部３６が形成されている。また、表示枠２８ｄはカバープレート１０ａの前面から側面に至る平面から見て略コ字形状であり、前面から側面に至る表示面を有する。それ以外の構成は図１の実施形態と同じになる。
【００４９】
このように第４実施形態にあっては、位置表示灯１４における表示枠２８ｄの前面の表示面により前方からの高い視認性が確保され、同時に、表示枠２８ｂの側面の表示面により側方からの高い視認性が確保され、表示灯全体としての視認性を向上させることができる。このため、表示枠２８ｄの肉厚を、従来より薄くできる。
【００５０】
また、表示枠２８ｄは音響孔１６の配置部を囲むようにしていることから、全体としての表示面積が大きくなり、より高い前方及び側方からの視認性が確保できる。
【００５１】
また、防災機器収容箱１０の音響孔１６を囲むように位置表示灯１４の表示枠２８ｄが配置されることで、新たな意匠性が得られ、意匠性を高めることができる。なお、左右に分離配置した表示枠２８ｃは埋込み構造としても良い。また、表示枠２８ｄの開口部３６は円形以外に、矩形や楕円形等の他の形状としても良く、開口部３６の形状に応じて音響孔１６が配置される。
【００５２】
［防災機器収容箱の第５実施形態］
図８は発信機を左右から挟んで両側に位置表示灯の表示枠を分離配置した防災機器収容箱の第５実施形態を示した説明図である。
【００５３】
図８に示すように、本実施形態は、発信機１２を挟んで両側に、位置表示灯１４の表示枠２８ｅを左右に分離して配置しており、一対の表示枠２８ｅはカバープレート１０ａの前面から側面に至るＬ字形状であり、それぞれ前面から側面に至る表示面を有する。それ以外の構成は図１の実施形態と同じになる。
【００５４】
このように第５実施形態にあっては、発信機１２の両側に分離配置した位置表示灯１４の表示枠２８ｅの前面の表示面により前方からの高い視認性が確保され、同時に、表示枠２８ｅの側面の表示面により側方からの高い視認性が確保され、表示灯全体としての視認性を向上させることができる。このため、表示枠２８ｅの肉厚を、従来より薄くできる。即ちまた、表示枠２８ｅの突出量を更に小さくすることができる。
【００５５】
また、防災機器収容箱１０の発信機１２の両側に、位置表示灯１４の表示枠２８ｅが分離配置されることで、新たな意匠性が得られ、意匠性を高めることができる。
【００５６】
更に、発信機１２の両側に位置表示灯１４の表示枠２８ｅが配置されたことで、操作部として機能する発信機１２の位置が分かり易くなるので取扱性が向上する。なお、左右に分離配置した表示枠２８ｃは埋込み構造としても良い。
【００５７】
［防災機器収容箱の第６実施形態］
図９は発信機の周囲を囲んで位置表示灯の表示枠を配置した防災機器収容箱の第６実施形態を示した説明図である。
【００５８】
図９に示すように、本実施形態は、発信機１２が配置された円形の発信機配置領域を囲んで位置表示灯１４の表示枠２８ｆを配置しており、このため表示枠２８ｆには開口部３８が形成されている。また、表示枠２８ｆはカバープレート１０ａの前面から側面に至る平面から見て略コ字形状であり、前面から側面に至る表示面を有する。それ以外の構成は図１の実施形態と同じになる。
【００５９】
このように第６実施形態にあっては、位置表示灯１４における表示枠２８ｆの前面の表示面により前方からの高い視認性が確保され、同時に、表示枠２８ｆの側面の表示面により側方からの高い視認性が確保され、表示灯全体としての視認性を向上させることができる。このため、表示枠２８ｆの肉厚を、従来より薄くできる。即ちまた、表示枠２８ｆの突出量を更に小さくすることができる。
【００６０】
また、表示枠２８ｆは発信機１２の周囲を囲むように配置していることから、全体としての表示面積が大きくなり、より高い前方及び側方からの視認性が確保できる。
【００６１】
更に、発信機１２を囲んで位置表示灯１４の表示枠２８ｆが配置されたことで、操作部として機能する発信機１２の位置が分かり易くなる。なお、左右に分離配置した表示枠２８ｆは埋込み構造としても良い。
【００６２】
［防災機器収容箱の第７実施形態］
図１０は音響孔と発信機を左右から挟んで両側に位置表示灯の表示枠を分離配置した防災機器収容箱の第７実施形態を示した説明図である。
【００６３】
図１０に示すように、本実施形態は、縦並びに配置された発信機１２と音響孔１６を挟んで両側に、位置表示灯１４の表示枠２８ｇを左右に分離して配置しており、一対の表示枠１８ｇはカバープレート１０ａの前面から側面に至るＬ字形状であり、それぞれ前面から側面に至る表示面を有する。それ以外の構成は図１の実施形態と同じになる。
【００６４】
このように第７実施形態にあっては、左右に分離して発信機１２と音響孔１６の両側に配置した位置表示灯１４の表示枠２８ｇの前面の表示面により前方からの高い視認性が確保され、同時に、表示枠２８ｇの側面の表示面により側方からの高い視認性が確保され、表示灯全体としての視認性を向上させることができる。このため、表示枠２８ｇの肉厚を、従来より薄くできる。即ちまた、表示枠２８ｇの突出量を更に小さくすることができる。
【００６５】
また、防災機器収容箱１０の発信機１２と音響孔１６の両側に位置表示灯１４の表示枠２８ｇが分離配置されることで、新たな意匠性が得られ、意匠性を高めることができる。なお、左右に分離配置した表示枠２８ｇは埋込み構造としても良い。
【００６６】
［防災機器収容箱の第８実施形態］
図１１は集約配置された発信機と音響孔と左右から挟んで両側に位置表示灯の表示枠を分離配置した防災機器収容箱の第８実施形態を示した説明図である。
【００６７】
図１１に示すように、本実施形態は、防災機器収容箱１０のカバープレート１０ａに、発信機１２を囲むように音響孔１６を配置することで設置スペースを低減し、防災機器収容箱１０を小型化している。位置表示灯１２の表示枠２８ｈは、発信機１２を囲んで配置した音響孔１６の点線で示す音響孔配置部１６ａを左右から挟んで両側に分離して配置しており、一対の表示枠２８ｈはカバープレート１０ａの前面から側面に至るＬ字形状であり、それぞれ前面から側面に至る表示面を有する。それ以外の構成は図１の実施形態と同じになる。
【００６８】
このように第８実施形態にあっては、集約配置された発信機１２を囲む音響孔１６の両側に分離配置した位置表示灯１４の表示枠２８ｈの前面の表示面により前方からの高い視認性が確保され、同時に、表示枠２８ｈの側面の表示面により側方からの高い視認性が確保され、表示灯全体としての視認性を向上させることができる。このため、表示枠２８ｈの肉厚を、従来より薄くできる。即ちまた、表示枠２８ｈの突出量を更に小さくすることができる。
【００６９】
また、発信機１２を囲むように集約配置された音響孔１６の両側に位置表示灯１４の表示枠２８ｈが分離配置されることで、新たな意匠性が得られ、意匠性を高めることができる。なお、左右に分離配置した表示枠２８ｈは埋込み構造としても良い。
【００７０】
［防災機器収容箱の第９実施形態］
図１２は発信機を左右から挟んで両側に発信機指示部位を有する位置表示灯の表示枠を分離配置した防災機器収容箱の第９実施形態を示した説明図である。
【００７１】
図１２（Ａ）（Ｂ）に示すように、本実施形態は、防災機器収容箱１０のカバープレート１０ａに設けた発信機１２を挟んで両側に、位置表示灯１４の表示枠２８ｉを左右に分離して配置しており、一対の表示枠２８ｉはカバープレート１０ａの前面から側面に至るＬ字形状であり、それぞれ前面から側面に至る表示面を有する。それ以外の構成は図１の実施形態と同じになる。この点は図８の第５実施形態と同様である。
【００７２】
これに加え本実施形態では、図１２（Ａ）に示すように、発信機１２の両側に配置した表示枠２８ｉの発信機１２側に、矢印状の発信機指示部位４０ａが形成されている。
【００７３】
このように第９実施形態にあっては、図８の第５実施形態と同様に、発信機１２の両側に配置した位置表示灯１４の表示枠２８ｉの前面の表示面により前方からの高い視認性が確保され、同時に、表示枠２８ｉの側面の表示面により側方からの高い視認性が確保され、表示灯全体としての視認性を向上させることができる。このため、表示枠２８ｉの肉厚を、従来より薄くできる。即ちまた、表示枠２８ｉの突出量を更に小さくすることができる。
【００７４】
また、防災機器収容箱１０の発信機１２の両側に位置表示灯１４の表示枠２８ｉが分離配置され、且つ、発信機指示部位４０ａが形成されることで、新たな意匠性が得られ、意匠性を高めることができる。なお、左右に分離配置した表示枠２８ｈは埋込み構造としても良い。
【００７５】
更に、本実施形態では、発信機１２の両側に配置した表示枠２８ｉに発信機指示部位４０ａを形成したことで、操作部として機能する発信機１２が指し示され、発信機１２の位置が分かり易くなり、利用者は迷うことなく発信機１２を操作することが可能となる。
【００７６】
図１２（Ｃ）は位置表示枠２８ｉの変形例であり、位置表示枠２８ｉの側面の表示面の後端を、表示面の切欠が発信機１２の位置を指す形状とした矢印終端部位４２ａとし、これにより側面から見ても発信機１２を指しており、更に、新たな意匠性が得られることで、意匠性を高めることができる。
【００７７】
［防災機器収容箱の第１０実施形態］
図１３は発信機と音響孔の間に発信機指示部位を有する位置表示灯の表示枠を配置した防災機器収容箱の第１０実施形態を示した説明図である。
【００７８】
図１３に示すように、本実施形態は、防災機器収容箱１０のカバープレート１０ａの発信機１２と音響孔１６の間に、位置表示灯１４の表示枠２８ｊを配置しており、表示枠２８ｊはカバープレート１０ａの前面から側面に至る平面から見て略コ字形状であり、前面から側面に至る表示面を有する。この点は図１の第１実施形態と同様である。
【００７９】
これに加え本実施形態では、図１３（Ａ）に示すように、発信機１２と音響孔１６の間に配置した表示枠２８ｊの発信機１２側には、矢印状の発信機指示部位４０ｂが形成されている。
【００８０】
このように第１０実施形態にあっては、図１の第１実施形態と同様に、発信機１２と音響孔１６の間に配置した位置表示灯１４の表示枠２８ｊの前面の表示面により前方からの高い視認性が確保され、同時に、表示枠２８ｊの側面の表示面により側方からの高い視認性が確保され、表示灯全体としての視認性を向上させることができる。このため、表示枠２８ｊの肉厚を、従来より薄くできる。即ちまた、表示枠２８ｊの突出量を更に小さくすることができる。
【００８１】
また、防災機器収容箱１０の発信機１２と音響孔１６の間に位置表示灯１４の表示枠２８ｊが配置され、且つ、発信機指示部位４０ｂが形成されることで、新たな意匠性が得られ、意匠性を高めることができる。なお、表示枠２８ｊは埋込み構造としても良い。
【００８２】
更に、本実施形態では、発信機１２と音響孔１６の間に配置した表示枠２８ｊに発信機指示部位４０ｂを形成したことで、操作部として機能する発信機１２が指し示され、発信機１２の位置が分かり易くなり、利用者は迷うことなく発信機１２を操作することが可能となる。
【００８３】
［防災機器収容箱の第１１実施形態］
図１４は音響孔と発信機を左右から挟んで両側に発信機指示部位を有する位置表示灯の表示枠を分離配置した防災機器収容箱の第１１実施形態を示した説明図である。
【００８４】
図１４に示すように、本実施形態は、防災機器収容箱１０のカバープレート１０ａに縦並びに配置された発信機１２と音響孔１６を挟んで両側に、位置表示灯１４の表示枠２８ｇを左右に分離配置しており、一対の表示枠２８ｇはカバープレート１０ａの前面から側面に至るＬ字形状であり、前面から側面に至る表示面を有する。この点は図１０の第７実施形態と同様である。
【００８５】
これに加え本実施形態では、図１４（Ａ）に示すように、発信機１２と音響孔１６の間に配置した表示枠２８ｇの発信機１２側に、矢印形状の発信機指示部位４０ｃが形成されている。
【００８６】
このように第１１実施形態にあっては、図１０の第７実施形態と同様に、発信機１２と音響孔１６を挟んで両側に配置した位置表示灯１４の表示枠２８ｇの前面の表示面により前方からの高い視認性が確保され、同時に、表示枠２８ｇの側面の表示面により側方からの高い視認性が確保され、表示灯全体としての視認性を向上させることができる。このため、表示枠２８ｇの肉厚を、従来より薄くできる。即ちまた、表示枠２８ｇの突出量を更に小さくすることができる。
【００８７】
また、発信機１２と音響孔１６を挟んで表示枠２８ｇが配置され、且つ、発信機指示部位４０ｃが形成されることで、新たな意匠性が得られ、意匠性を高めることができる。なお、表示枠２８ｇは埋込み構造としても良い。
【００８８】
更に、本実施形態では、発信機１２と音響孔１６の間に配置した表示枠２８ｇに発信機指示部位４０ｃを形成したことで、操作部として機能する発信機１２が指し示され、発信機１２の位置が分かり易くなり、利用者は迷うことなく発信機１２を操作することが可能となる。
【００８９】
［防災機器収容箱の第１２実施形態］
図１５は発信機を囲んで発信機指示部位を有する位置表示灯の表示枠を配置した防災機器収容箱の第１２実施形態を示した説明図である。
【００９０】
図１５に示すように、本実施形態は、本実施形態は、音響孔１６が配置された円形の音響孔配置部を囲んで位置表示灯１４の表示枠２８ｄを配置しており、このため表示枠２８ｄには開口部３６が形成されている。また、表示枠２８ｄはカバープレート１０ａの前面から側面に至る平面から見て略コ字形状であり、前面から側面に至る表示面を有する。この点は図７の第４実施形態と同様である。
【００９１】
これに加え本実施形態では、図１５（Ａ）に示すように、音響孔１６を囲んで配置した表示枠２８ｄの発信機１２側（下側）には、矢印状の発信機指示部位４０ｄが形成されている。
【００９２】
このように第１２実施形態にあっては、図７の第４実施形態と同様に、音響孔１６を囲んで配置した位置表示灯１４の表示枠２８ｄの前面の表示面により前方からの高い視認性が確保され、同時に、表示枠２８ｄの側面の表示面により側方からの高い視認性が確保され、表示灯全体としての視認性を向上させることができる。このため、表示枠２８ｄの肉厚を、従来より薄くできる。即ちまた、表示枠２８ｄの突出量を更に小さくすることができる。
【００９３】
また、音響孔１６を挟んで表示枠２８ｄが配置され、且つ、発信機指示部位４０ｄが形成されることで、新たな意匠性が得られ、意匠性を高めることができる。なお、表示枠２８ｄは埋込み構造としても良い。
【００９４】
更に、本実施形態では、音響孔１６を囲んで配置した表示枠２８ｄに発信機指示部位４０ｄを形成したことで、操作部として機能する発信機１２が指し示され、発信機１２の位置が分かり易くなり、利用者は迷うことなく発信機１２を操作することが可能となる。
【００９５】
［防災機器収容箱の第１３実施形態］
図１６は発信機と音響孔の間に位置表示灯の表示枠を前面と側面に分離して配置した防災機器収容箱の第１３実施形態を示した説明図である。
【００９６】
図１６に示すように、本実施形態は、カバープレート１０ａの前面に設けられた発信機１２と音響孔１６の配置部との間に、位置表示灯１４の表示枠２８ｐ−１を配置すると共に、カバープレート１０ａの両側面に表示枠２８ｐ−２を分離して配置している。それ以外の構成は図１の実施形態と同じになる。なお、表示枠２８ｐ−２はカバープレート１０ａではなく、本体１０ｂ側に配置しても良い。
【００９７】
このように第１３実施形態にあっては、カバープレート１０ａの前面に配置した位置表示灯１４の表示枠２８ｐ−１の表示面により前方からの高い視認性が確保され、同時に、カバープレート１０の側面に分離して配置した位置表示灯１４の表示枠２８ｐ−２の表示面により側方からの高い視認性が確保され、表示灯全体としての視認性を向上させることができる。このため、表示枠２８ｐ−１，２８ｐ−２の肉厚を、従来より薄くできる。即ちまた、表示枠２８ｐ−１，２８ｐ−２の突出量を更に小さくすることができる。
【００９８】
また、防災機器収容箱１０の発信機１２と音響孔１６の配置部の間を仕切るように、位置表示灯１４の表示枠２８ｐ−１が配置され、また側面に表示枠２８ｐ−２が分離配置されることで、新たな意匠性が得られ、意匠性を高めることができる。なお、左右に分離配置した表示枠２８ｐ−１，２８ｐ−２はどちらか又は両方を埋込み構造としても良い。
【００９９】
［防災機器収容箱の第１４実施形態］
図１７は音響孔と発信機を上下から挟むように位置表示灯の表示枠を分離配置した防災機器収容箱の第１４実施形態を示した説明図である。
【０１００】
図１７に示すように、本実施形態は、縦並びに配置された発信機１２と音響孔１６を上下に挟むように、位置表示灯１４の表示枠２８ｑを上下に分離して配置しており、一対の表示枠１８ｑはカバープレート１０ａの前面から側面に至るＬ字形状であり、それぞれ前面から側面に至る表示面を有する。それ以外の構成は図１の実施形態と同じになる。
【０１０１】
これに加え本実施形態では、図１７（Ａ）に示すように、発信機１２の下側に配置した表示枠２８ｑの発信機１２側には、矢印状の発信機指示部位４０ｈが形成されている。なお、上下に分離配置した表示枠２８ｑは埋込み構造としても良い。
【０１０２】
このように第１４実施形態にあっては、発信機１２と音響孔１６の上下から挟むように分離配置した位置表示灯１４の表示枠２８ｑの前面の表示面により前方からの高い視認性が確保され、同時に、表示枠２８ｑの側面の表示面により側方からの高い視認性が確保され、表示灯全体としての視認性を向上させることができる。このため、表示枠２８ｑの肉厚を、従来より薄くできる。
【０１０３】
また、防災機器収容箱１０の発信機１２と音響孔１６を上下から挟むように位置表示灯１４の表示枠２８ｑが分離配置されることで、新たな意匠性が得られ、意匠性を高めることができる。
【０１０４】
更に、本実施形態では、発信機１２の下側に配置した表示枠２８ｑに発信機指示部位４０ｈを形成したことで、操作部として機能する発信機１２が指し示され、発信機１２の位置が分かり易くなり、利用者は迷うことなく発信機１２を操作することが可能となる。
【０１０５】
［防災機器収容箱の第１５実施形態］
図１８は位置表示灯の表示枠を対角位置に分離配置した防災機器収容箱の第１５実施形態を示した説明図である。
【０１０６】
図１８に示すように、本実施形態の位置表示灯１４は、分離配置される表示枠２８ｒ−１と表示枠２８ｒ−２を有し、表示枠２８ｒ−１はカバープレート１０ａの上側に設けた音響孔１６の正面から見て例えば左側に配置し、表示枠２８ｒ−２はカバープレート１０ａの下側に設けた発信機１２の正面から見て右側に配置しており、これにより表示枠２８ｒ−１，２８ｒ−２は対角位置に配置される関係にある。
【０１０７】
また、表示枠２８ｒ−１、２８ｒ−２はカバープレート１０ａの前面から側面に至るＬ字形状であり、それぞれ前面から側面に至る表示面を有する。更に、表示枠２８ｒ−２の発信機１２側には、矢印状の発信機指示部位４０ｉを形成している。なお、上下対角に分離配置した表示枠２８ｒ−１，２８ｒ−２は埋込み構造としても良い。
【０１０８】
このように第１５実施形態にあっては、発信機１２と音響孔１６の上下の対角位置に分離配置した位置表示灯１４の表示枠２８ｒ−１，２８ｒ−２の前面の表示面により前方からの高い視認性が確保され、同時に、表示枠２８ｒ−１，２８ｒ−２の側面の表示面により側方からの高い視認性が確保され、表示灯全体としての視認性を向上させることができる。このため、表示枠２８ｒ−１，２８ｒ−２の肉厚を、従来より薄くできる。即ちまた、表示枠２８ｒ−１，２８ｒ−２の突出量を更に小さくすることができる。
【０１０９】
また、防災機器収容箱１０の発信機１２と音響孔１６の上下の対角位置に位置表示灯１４の表示枠２８ｒ−１，２８ｒ−２が分離配置されることで、新たな意匠性が得られ、意匠性を高めることができる。
【０１１０】
更に、本実施形態では、発信機１２の片側に配置した表示枠２８ｒ−２に発信機指示部位４０ｉを形成したことで、操作部として機能する発信機１２が指し示され、発信機１２の位置が分かり易くなり、利用者は迷うことなく発信機１２を操作することが可能となる。なお、表示枠２８ｒ−１，２８ｒ−２は、左右を入れ替えた対角位置としても良い。
【０１１１】
［防災機器収容箱の第１６実施形態］
図１９は位置表示灯をユニット化して収容ユニットに組み付ける構造とした防災機器収容箱の第１６実施形態を示した説明図である。
【０１１２】
図１９は防災機器収容箱１０を正面及び側面で示しており、カバープレート１０ａには発信機１２と音響孔１６が縦並びに設けられている。本実施形態の位置表示灯１４は、図１の第１実施形態と同様に、発信機１２と音響孔１６の間に横向きに配置されるものであるが、下側に取り出して示すように、位置表示灯１４はユニット化されている。
【０１１３】
ユニット化された本実施形態の位置表示灯１４は、横長の箱形状を持つユニット本体６０の上側から見て断面略コ字形状の表示枠２８ａを配置しており、ユニット本体６０の内部には、図３に示したと同様に、ＬＥＤを配置した回路基板が配置され、ＬＥＤの背光照明による光を拡散透光部材を用いた表示枠２８ａに入射して位置表示灯１４の前面及び側面を略均一に赤色に面発光させるようにしている。
【０１１４】
防災機器収容箱１０のカバープレート１０ａにおける発信機１２と音響孔１６の間には、横方向に表示灯収納部６２が矩形の収納溝として形成されており、ここにユニット化された位置表示灯１４を組み込むことで、図１の第１実施形態に示したと同様に、前面及び側面に表示面（６０ａ，６０ｂ）を有する位置表示灯１４を配置することができる。
【０１１５】
このように位置表示灯１４をユニット化することで、カバープレート１０ａと本体１０ｂで構成される収容ケースから独立して位置表示灯１４を製造できることで生産性が高まり、また、収納ユニットに対する位置表示灯１４の組付けも簡単且つ容易にできる。
【０１１６】
［消火栓装置の実施形態］
図２０はパネル前面から側面に表示面を有する位置表示灯を配置した消火栓装置の実施形態を示した説明図である。
【０１１７】
図２０に示すように、本実施形態の消火栓装置５０は金属製の収容ケース５２の前面に、開閉自在に消火栓扉５４を設け、また消火栓扉５４の上部に通報パネル５６を設け、通報パネル５６のカバープレート１０ａに発信機１２、音響孔１６及び位置表示灯１４を横並びに配置している。消火栓扉５４の内部にはノズル付きのホースが収納されている。
【０１１８】
位置表示灯１４は、音響孔１６と発信機１２を左右から挟んで両側に表示枠２８ｋを分離配置しており、一対の表示枠２８ｋはカバープレート１０ａの前面から収容ケース５２の側面に至るＬ字形状であり、前面から側面に至る表示面を有する。
【０１１９】
このように消火栓装置の実施形態にあっては、発信機１２と音響孔１６を挟んで両側に配置した位置表示灯１４の表示枠２８ｋの前面の表示面により前方からの高い視認性が確保され、同時に、表示枠２８ｋの側面の表示面により側方からの高い視認性が確保され、表示灯全体としての視認性を向上させることができる。このため、表示枠２８ｋの肉厚を、従来より薄くできる。即ちまた、表示枠２８ｋの突出量を更に小さくすることができる。
【０１２０】
また、発信機１２と音響孔１６を挟んで表示枠２８ｋが配置されることで、新たな意匠性が得られ、意匠性を高めることができる。
【０１２１】
［消火栓装置の他の実施形態］
図２１は消火栓装置に設ける位置表示灯の他の実施形態を示した説明図であり、図２１（Ａ）〜（Ｄ）に分けて通報パネル５６の部分を取り出して実施形態を示している。
【０１２２】
図２１（Ａ）の実施形態は、音響孔１６と発信機１２の周囲を矩形に囲んで位置表示灯１４の表示枠２８ｍを配置しており、表示枠２８ｍはカバープレート１０ａの前面から収容ケース５２の側面に至る平面から見て略コ字形状であり、前面から側面に至る表示面を有する。また、表示枠２８ｍの発信機１２側の辺の内側部には矢印形状の発信機指示部位４０ｅが形成されている。
【０１２３】
図２１（Ｂ）の実施形態は、図１９（Ａ）と同様に、音響孔１６と発信機１２の周囲を矩形に囲んで位置表示灯１４の表示枠２８ｍを配置しており、表示枠２８ｍはカバープレート１０ａの前面から収容ケース５２の側面に至る平面から見て略コ字形状であり、前面から側面に至る表示面を有する。これに加え、発信機１２の上下に位置する表示枠２８ｍの内側部には矢印状の発信機指示部位４０ｆが形成されている。
【０１２４】
図２１（Ｃ）の実施形態は、音響孔１６と発信機１２の周囲を矩形に囲むと共に音響孔１６と発信機１２の間を縦に仕切った全体として梯子型の表示枠２８ｎを配置しており、表示枠２８ｎはカバープレート１０ａの前面から収容ケース５２の側面に至る平面から見て略コ字形状であり、前面から側面に至る表示面を有する。これに加え、表示枠２８ｎの発信機１２の両側に位置する縦部分及び右辺の発信機１２側には矢印状の発信機指示部位４０ｇが形成されている。
【０１２５】
図２１（Ｄ）は図２１（Ｃ）の変形例であり、表示枠２８ｎの音響孔１６と発信機１２を仕切る縦部分の発信機１２側のみに発信機指示部位４０ｇを形成している。
【０１２６】
このように図２１（Ａ）〜（Ｄ）の実施形態にあっては、表示枠２８ｍ，２８ｎの前面及び側面の表示面により位置表示灯１４の前方及び側方からの視認性が確保され、また、表示枠２８ｍ，２８ｎにより新たな意匠性が得られ、意匠性を高めることができ、更に、表示枠２８ｍ，２８ｎに形成しれた発信機指示部位４０ｆ，４０ｇにより、操作部として機能する発信機１２が指し示され、発信機１２の位置が分かり易くなり、利用者は迷うことなく発信機１２を操作することが可能となる。
【０１２７】
［音響装置を設けない防災機器収容箱の実施形態：第２発明］
図２２は発信機及び位置表示灯を一ヶ所に集約配置すると共に表示灯の表示枠を収容ケースの前面、左右側面、上面及び下面に表示面を有するように配置した音響装置を持たない防災機器収容箱の実施形態を示した説明図であり、図２２（Ａ）に正面を示し、図２２（Ｂ）に側面を示し、図２２（Ｃ）に平面を示す。
【０１２８】
図２２に示すように、本実施形態の防災機器収納箱１０は音響装置を持たないことからカバープレート１０ａの前面１３ａに音響孔は設けられておらず、位置表示灯１４と発信機のみの配置となる。
【０１２９】
本実施形態の防災機器収容箱１０の収容ケースは、前面略正方形のカバープレート１０ａと箱形の本体１０ｂで構成され、防災機器収容箱１０に配置される発信機は、押釦スイッチ２０及び保守扉２２と発信機本体１２ｂとに分離されており、発信機本体１２ｂは収容ケースの本体１０ｂの内部に配置され、カバープレート１０ａの前面１３ａの中央部には、発信機本体１２ｂから分離された押釦スイッチ２０と保守扉２２が露出して配置される。
【０１３０】
押釦スイッチ２０と保守扉２２の露出部の露出高さ、例えば押釦スイッチ２０と保守扉２２の頂部の高さは、位置表示灯１４の、カバープレート１０ａの前面１３ａ側の表示面１５の露出高さ以下としている。なお、前面１３ａと前面側の表示面、押釦スイッチ２０及び保守扉２２の露出頂部を面一にしても良い。もちろん、両側側面１３ｂと側面の表示面、上下面と上下表示面についても、互いに面一とすることができる。
【０１３１】
押釦スイッチ２０は矩形のスイッチカバーの内部に保護板１８とスイッチ釦を配置しており、発信機本体１２ｂとの間を信号線で接続している。また、保守扉２２の内部には電話ジャックが配置され、発信機本体１２ｂとの間を信号線で接続している。
【０１３２】
位置表示灯１４は、カバープレート１０ａの前面１３ａに露出して配置された発信機の押釦スイッチ２０及び保守扉２２の周囲を矩形に囲むと共にカバープレート１３ａの左右両側面１３ｂに至る表示枠２８ｒを有し、これにより位置表示灯１４は防災機器収容箱１０の収容ケースの前面１３ａと側面１３ｂに表示面１５を有することになる。
【０１３３】
また、本実施形態にあっては、表示枠２８ｒはカバープレート１０ａの上面１３ｃ及び下面１３ｄにも表示面を有するようにしており、その結果、本実施形態における位置表示灯１４の表示枠２８ｒは、カバープレート１０ａの前面周縁及び上下左右面周縁の全周にわたって形成されている。
【０１３４】
カバープレート１０ａの前面１３ａに配置された表示枠２８ｒの背後には点線で示すようにＬＥＤ３２が適宜配置され、表示枠２８ｒの背光照明により、前面１３ａ、左右側面１３ｂ、上面１３ｃ及び下面１３ｄを含む表示枠２８ｒの表示面の全面を略均一に赤色に面発光させる。
【０１３５】
ここで、発信機本体１２ｂから分離された押釦スイッチ２０及び保守扉２２は、例えば図１に示した押釦スイッチ２０及び保守扉２２を一体に備えた発信機１２に比べると、収容ケース前面（カバープレート１０ａの前面）におけるその配置スペースは狭い範囲で済む。即ち例えば、内蔵された発信機本体１２ｂの外周よりも表示枠２８ｒの前面開口を小さくすることができる。
【０１３６】
このように本実施形態の防災機器収容箱１０は、カバープレート１０ａの全周にわたって形成された表示枠２８ｒを有する位置表示灯１４、及び、発信機本体１０ｂから分離された押釦スイッチ２０と保守扉２２を一ケ所に集約して設けたことにより、防災機器収容箱１０のサイズを大幅に小型化することができる。
【０１３７】
また、防災機器収容箱１０の設置状態において、位置表示灯１４に設けた表示枠２８ｒの前面１３ａの表示面１５により前方からの視認性が維持され、同時に、表示枠２８ｒの左右両側の側面１３ｂの表示面１５により側方からの視認性が向上し、表示灯全体としての視認性を向上させることができ、且つ新たな意匠性が得られ、意匠性を高めることができる。
【０１３８】
また、防災機器収容箱１０を壁面等に設置した状態で上方及び又は下方から利用者が見ることのできる設置環境にあっては、位置表示灯１４に設けた表示枠２８ｒの上面１３ｃ及び下面１３ｄの表示面１５により、上方及び下方からの視認性が向上し、表示灯全体としての視認性を向上させることができる。
【０１３９】
更に、発信機本体１２ｂから分離した押釦スイッチ２０の周囲を囲んで配置された表示枠２８ｒにより、操作部として機能する発信機の押釦スイッチ２０の存在がより明確に認識されやすくなるので、発信機の押釦スイッチ２０の位置が分かり易くなり、利用者は迷うことなく発信機の押釦スイッチ２０を操作することが可能となる。この点は、発信機本体１２ｂから分離して配置された保守扉２２についても同様であり、点検時等に担当者は迷うことなく保守扉２２を開いて携帯している電話機のプラグを電話ジャックに差し込んで通話連絡を行うことが可能となる。なお、保護版１８内の押釦スイッチ２０の収容部にも照明を設けても良く、このようにすれば、発信機の操作者が押釦スイッチ２０の所在をより明確に認識できるようになる。
【０１４０】
なお、カバープレート１０ａの前面に配置した位置表示灯１４の表示枠２８ｒは、発信機本体１２ｂから分離配置した押釦スイッチ２０及び保守扉２２の周囲を矩形に囲むように配置しているが、これに限定されず、例えば円形又は楕円形に囲むように配置しても良いし、また例えば、発信機の露出部の周囲の一部を例えば門型等に囲む表示枠としても良い。また、例えば図２３に示すように、表示枠２８ｒを分割して配置しても良いし、表示枠を収容ケースの正面視で四隅に設けるようにするなど適宜の形状配置を選択し得る。
【０１４１】
また、本実施形態におけるカバープレート１０ａの前面１３ａと側面１３ｂのつなぎ目は、例えば図２２（Ｃ）の平面図に示すように、Ｒ面状としているが、これに限定されず、例えばＣ面状（面取り状）とし、カバープレート１０の側面１３ｂの表示面１５はこれらの形状に沿うように形成しても良い。この点は、カバープレート１０の前面１３ａと上面１３ｃ及び下面１３ｄとのつなぎ目についても同様である。
【０１４２】
［発信機の取付向きを可変する防災機器収容箱の実施形態：第３発明］
図２４は設置の向きに応じて発信機の向きを可変可能な防災機器収容箱の実施形態を示した説明図であり、図２４（Ａ）に正面を示し、図２４（Ｂ）に側面を示し、図２４（Ｃ）に平面を示す。防災機器収容箱１０は通常、図２４（Ａ）に示した矢印の向きを上側にして設置されるものとする。
【０１４３】
図２４に示すように、本実施形態は、図２３の実施形態と同様に音響装置を持たない防災機器収容箱１０を例にとっており、防災機器収容箱１０の収容ケースは、カバープレート１０ａと箱形の本体１０ｂで構成され、防災機器収容箱１０に配置される発信機１２は、発信機カバー１２ａの前面に保護板１８を備えた押釦スイッチ２０と保守扉２２が設けられている。また、発信機１２はカバープレート１０ａに対し押釦スイッチ２０と保守扉２２の並び方向となる向きを上下方向（垂直方向）として、ねじ８０により取り付けているが、本実施形態においては、これを左右方向（水平方向）となる向きに可変して取り付けることが可能である。
【０１４４】
位置表示灯１４は、発信機１２を両側から挟むようにカバープレート１０ａの前面の左右両側に分離して表示枠２８ｓが配置され、また、表示枠２８ｓはカバープレート１０ａの左右両側の側面及び上下面にも表示面を有している。
【０１４５】
図２５は本実施形態において発信機の向きを変える可変構造を防災機器収納箱の組立分解状態で示した説明図である。
【０１４６】
図２５に示すように、発信機１２は円盤状の発信機カバー１２ａの背後に略円筒状の発信機本体１２ｂを一体に備えており、発信機本体１２ｂの外周面の４箇所に（上方向を０°とすると、時計回りに４５°、１３５°、２２５°、３１５°となる位置に）、即ち９０°間隔で矩形断面をもつガイド突起７６が一点鎖線で示す軸方向に形成され、また、発信機カバー１２ａの４箇所には９０°間隔で通し穴７８が形成されている。
【０１４７】
一方、カバープレート１０ａの前面には発信機取付穴７０が形成され、その４箇所（上方向を０°とすると、時計回りに４５°、１３５°、２２５°、３１５°となる位置）に９０°間隔で矩形のガイド溝７２が形成され、ガイド溝７２の間となる４箇所に９０°間隔でねじ穴７４が形成されている。
【０１４８】
なお、ねじ８０から発信機取付穴７０にかけて図示した４本の一点鎖線は取付軸、中央の一点鎖線は発信機本体１２ｂの円筒の中心軸である。
【０１４９】
カバープレート１０ａに対する発信機１２の取付けは、発信機１２の押釦スイッチ２０に対し保守扉２２側を上にして、即ち矢印の向きを上側にして設置された防災機器収容箱１０の上側に発信機１２の保守扉２２側が位置するようにして、発信機取付穴７０のガイド溝７２に合わせて発信機本体１２ｂのガイド突起７６を嵌め入れ、通し穴７８を介し、ねじ穴７４に対しねじ８０を螺合することで固定する。
【０１５０】
このような発信機１２の向きを変える可変構造によれば、発信機１２の押釦スイッチ２０と保守扉２２の並び方向を、時計回りに９０°、或いは２７０°回転した状態にも、通し穴７８を介し発信機取付穴７０のガイド溝７２に合わせて発信機本体１２ｂのガイド突起７２を嵌め入れ、ねじ穴７４に対しねじ８０を螺合することで発信機１２を固定することができる。このようにすれば、防災機器収容箱１０を図示の左右方向を上下にして設置した場合にも、発信機１２を、保守扉２２側を上に配置した状態とすることができる。
【０１５１】
図２６は図２４に対し設置の向きを９０°回転させて横向きに設置した防災機器収容箱を示した説明図であり、図２６（Ａ）に正面を示し、図２６（Ｂ）に側面を示し、図２６（Ｃ）に平面を示す。この場合、防災機器収容箱１０は、図２６（Ａ）に示した矢印の向きを上側にして設置されており、図２４に対し設置の向きを９０°異ならせて設置した状態となっている。
【０１５２】
このような図２６に示す防災機器収容箱１０の設置に合わせて図２５に示した発信機１２の向きの可変構造により、発信機１２も保守扉２２側を上側として取り付けることが、簡単にできる。
【０１５３】
このため壁面等に防災機器収容箱１０を取り付ける向きが異なっても、これに合わせた向きに発信機１２を取付けた防災機器収容箱１０を別々に製造する必要はなく、生産性を向上してコストを低減可能とする。
【０１５４】
なお、図２５に示した発信機１２の向きを変える可変構造は一例であり、発信機１２の向きを９０°単位で可変できる構造であれば、適宜の可変構造とすることができる。
【０１５５】
また、本実施形態は音響装置を持たず、音響孔のない防災機器収容箱１０を例にとっているが、これに限定されず、図１乃至図１９に示した音響装置を持つことで音響孔が設けられた防災機器収容箱１０についても、図２５と同様な発信機１２の向きを変える可変構造を設け、発信機１２、位置表示灯１４及び音響孔１６の配置領域の並び方向を上下方向（垂直方向）又は左右方向（水平方向）とする壁面等に対する防災機器収容箱を設置する向きに合わせて発信機１２の向きを変えた取付けを可能とする。
【０１５６】
［本発明の変形例］
上記の実施形態における前面と側面に表示面を有する位置表示灯の形状及び配置は、上記の実施形態に限定されず、必要に応じて適宜の形状及び配置とすることができる。
【０１５７】
また、表示灯の表示枠を収容ケース前面に略面一とする場合も含め、収容ケースの発信機配置部に例えば対応凹部を設けて段落としし、ここに発信機を収容するように配置することで、発信機前面頂部が収容ケース前面（実施形態のカバープレート前面）から突出しないように、例えば発信機を配置した際に発信機前面が収容ケースの前面と略面一になるようにしても良い。このようにすることで、収容ケース前面からの表示灯及び／又は発信機の突出をなくすことができ、意匠性の向上等が見込める。
【０１５８】
また、上記の防災機器収容箱の実施形態は、音響孔と発信機とを縦並びに配置する場合を例にとっているが、横並びに配置するようにしても良い。
【０１５９】
また、音響孔配置部と表示灯配置部が重複することを妨げない。この場合、重複部において表示灯の、音響孔に対応する位置に適宜開口（音響孔）を設ける等して良い。
【０１６０】
また、上記の実施形態にあっては、位置表示灯の表示枠に拡散透光部材を使用しているが、例えば適宜の導光部材を使用しても良い。一例として導光部材は、例えばアクリル製の導光板の裏面に反射ドットを印刷しており、導光板のエッジから入射した光をアクリルの全反射を用いてアクリル全面に導き、反射ドットに当たった光がその進路を変え、全反射角よりも小さい角度になった光がアクリル前面から出てくることを利用して、導光板全面を均一に赤く光るようにするものが採用できる。その他、公知の照明、導光、透光、光拡散方法を適用し得る。
【０１６１】
また、本発明は、機器収容箱、消火栓装置以外の防災装置にも適用できる。
【０１６２】
また、表示灯は、位置表示灯の他、例えば火災等の異常を表示する表示灯や、その他の表示灯であっても良い。
【０１６３】
また、本発明は、発信機を備えない表示灯と音響孔を配置した防災装置にも適用できる。
【０１６４】
また、本発明は上記の実施形態に限定されず、その目的と利点を損なうことのない適宜の変形を含み、例えば上記各実施形態を適宜組み合わせても良いし、それ以外の変形を適用しても良い。
【０１６５】
また、各実施形態において側面の表示枠（表示面）はカバープレートから本体まで延出するようにしても良い。
【０１６６】
また、本発明は更に、上記の実施形態に示した形状や数値による限定は受けない。
【符号の説明】
【０１６７】
１０：防災機器収容箱
１０ａ：カバープレート
１０ｂ：本体
１２：発信機
１２ａ：前面頂部
１４：位置表示灯
１６：音響孔
１６ａ：音響孔配置部
１８：保護板
２０：押釦スイッチ
２２：保守扉
２４：音響装置
２８ａ，２８ｂ，２８ｃ，２８ｄ，２８ｅ，２８ｆ，２８ｇ，２８ｈ，２８ｉ，２８ｊ，２８ｋ，２８ｍ，２８ｐ−１，２８ｐ２，２８ｑ，２８ｒ，２８ｓ：表示枠
３０：回路基板
３２：ＬＥＤ
３４：透光孔
３６，３８：開口部
４０ａ，４０ｂ，４０ｄ，４０ｄ，４０ｅ，４０ｆ，４０ｇ，４０ｈ：発信機指示部位
５０：消火栓装置
５２：収容ケース
５４：通報パネル
５６：消火栓扉
６０：ユニット本体
６２：表示灯収納部
【図１】
2020123303.tif 000003
【図２】
2020123303.tif 000004
【図３】
2020123303.tif 000005
【図４】
2020123303.tif 000006
【図５】
2020123303.tif 000007
【図６】
2020123303.tif 000008
【図７】
2020123303.tif 000009
【図８】
2020123303.tif 000010
【図９】
2020123303.tif 000011
【図１０】
2020123303.tif 000012
【図１１】
2020123303.tif 000013
【図１２】
2020123303.tif 000014
【図１３】
2020123303.tif 000015
【図１４】
2020123303.tif 000016
【図１５】
2020123303.tif 000017
【図１６】
2020123303.tif 000018
【図１７】
2020123303.tif 000019
【図１８】
2020123303.tif 000020
【図１９】
2020123303.tif 000021
【図２０】
2020123303.tif 000022
【図２１】
2020123303.tif 000023
【図２２】
2020123303.tif 000024
【図２３】
2020123303.tif 000025
【図２４】
2020123303.tif 000026
【図２５】
2020123303.tif 000027
【図２６】
2020123303.tif 000028